(57)【要約】      （修正有）【課題】  ソフトウェアを記憶するための容量を低減でき、設備機器をリアルタイムで監視できる設備機器管理システム及び設備機器管理方法を提供する。【解決手段】  設備機器管理システム１は、空調システム群６０（６０ａ，６０ｂ，・・・）を遠隔から管理する設備機器管理システムであって、ローカルコントローラ５０と、通信回線１０、２０と、管理センター３０とを備える。ローカルコントローラ５０は、通信回線１０を経由して空調システム群６０を管理するための管理ソフトを有する。管理センター３０は、管理ソフトに組み込まれる候補となる機能の情報であり、部品化された機能の情報である部品機能情報の集まりである部品機能情報群を有し、ローカルコントローラ５０からの要求情報に基づいて、部品機能情報群から１以上の部品機能情報を選択して通信回線２０経由でローカルコントローラ５０へ送信する。【選択図】      図１
2007071406.tif 000002
【特許請求の範囲】
【請求項１】
設備機器（６１ａ，６２ａ，・・・，６１ｂ，６２ｂ，・・・）を遠隔から管理する設備機器管理システム（１）であって、
前記設備機器（６１ａ，６２ａ，・・・）を管理するためのソフトウェアである管理ソフトを有する第１管理装置（５０）と、
前記設備機器（６１ａ，６２ａ，・・・）と前記第１管理装置（５０）とを接続する第１通信回線（１０）と、
前記管理ソフトに組み込まれる候補となる機能の情報であって部品化された機能の情報である部品機能情報の集まりである部品機能情報群を有する第２管理装置（３０）と、
前記第１管理装置（５０）と前記第２管理装置（３０）とを接続する第２通信回線（２０）と、
を備え、
前記管理ソフトは、前記第１管理装置（５０）が必ず使用する機能の情報である基本機能情報を含み、
前記第１管理装置（５０）は、１以上の前記部品機能情報を要求する情報である第１要求情報を前記第２通信回線（２０）経由で前記第２管理装置（３０）へ送信し、
前記第２管理装置（３０）は、前記第１要求情報に基づいて、前記部品機能情報群から１以上の前記部品機能情報を選択して前記第２通信回線（２０）経由で前記第１管理装置（５０）へ送信する、
設備機器管理システム（１）。
【請求項２】
前記第１管理装置（５０）は、１以上の前記部品機能情報を前記第２管理装置（３０）から前記第２通信回線（２０）経由で受信し、１以上の前記部品機能情報を前記管理ソフトに組み込む、
請求項１に記載の設備機器管理システム（１）。
【請求項３】
前記第２管理装置（３０）は、
前記設備機器（６１ａ，６２ａ，・・・）の種類を示す情報である種類情報と、前記部品機能情報を識別する情報である識別情報とが対応付けられた情報である第１対応付け情報の集まりである第１対応付け情報群と、
前記識別情報と、前記部品機能情報が前記管理ソフトに組み込まれる位置を示す情報である位置情報とが対応付けられた情報である第２対応付け情報の集まりである第２対応付け情報群と、
をさらに有し、
前記第２管理装置（３０）は、前記第１要求情報に基づいて、前記第１対応付け情報群から１以上の前記第１対応付け情報を選択するとともに前記第２対応付け情報群から１以上の前記第２対応付け情報を選択して、少なくとも１以上の前記第２対応付け情報を前記第２通信回線（２０）経由で前記第１管理装置（５０）へさらに送信する、
請求項１又は２に記載の設備機器管理システム（１）。
【請求項４】
前記第１要求情報は、前記第１管理装置（５０）に前記第１通信回線（１０）を介して接続された前記設備機器（６１ａ，６２ａ，・・・）の前記種類情報を含む、
請求項３に記載の設備機器管理システム（１）。
【請求項５】
前記部品機能情報群は、
前記設備機器（６１ａ，６２ａ，・・・）の種類に関して共通に用いられる前記部品機能情報である第１部品機能情報と、
前記設備機器（６１ａ，６２ａ，・・・）の種類に依存して用いられる前記部品機能情報である第２部品機能情報と、
を含む、
請求項３又は４に記載の設備機器管理システム（１）。
【請求項６】
設備機器（６１ａ，６２ａ，・・・）を管理するためのソフトウェアであり必ず使用する機能の情報である基本機能情報を含む管理ソフトを有し第１通信回線（１０）で前記設備機器（６１ａ，６２ａ，・・・）に接続された第１管理装置（５０）と、第２通信回線（２０）とを介して、前記設備機器（６１ａ，６２ａ，・・・）が遠隔から管理される設備機器管理方法であって、
前記管理ソフトに組み込まれる候補となる機能の情報であって部品化された機能の情報である部品機能情報を１以上要求する情報である第１要求情報が前記第１管理装置（５０）から前記第２通信回線（２０）経由で送信される第１ステップと、
前記第１要求情報に基づいて、前記部品機能情報の集まりである部品機能情報群から１以上の前記部品機能情報が選択される第２ステップと、
１以上の前記部品機能情報が前記第２通信回線（２０）経由で前記第１管理装置（５０）へ送信される第３ステップと、
を備えた、
設備機器管理方法。
【発明の詳細な説明】
【技術分野】
【０００１】
本発明は、設備機器管理システム及び設備機器管理方法に関する。
【背景技術】
【０００２】
従来から、設備機器を遠隔から管理する設備機器管理システムが提案されている（例えば、特許文献１参照）。
【特許文献１】特開２００５−１４０４１９（第１−１２頁、第１−５図）
【発明の開示】
【発明が解決しようとする課題】
【０００３】
しかし、特許文献１の技術では、複数の種類の設備機器が１つのソフトウェアで監視されている。これにより、設備機器の種類が増えるたびにそのソフトウェアの記述が最初から見直され、増えた種類に関する記述が追加的にソフトウェアに書き込まれることになる。このため、ソフトウェアのソフトサイズが増加する傾向にあり、ソフトウェアの開発工数が多くなる傾向にある。
【０００４】
特に設備機器を監視する装置では、ソフトウェアを記憶するための容量が制限されており、ソフトウェアのソフトサイズが増加すると、ソフトウェアを記憶できなくなることがある。
また、設備機器を監視する装置では、設備機器をリアルタイムで監視する必要があり、ソフトウェアの開発工数が多くなると、設備機器をリアルタイムで監視することが困難になることがある。
【０００５】
本発明の課題は、ソフトウェアを記憶するための容量を低減でき、設備機器をリアルタイムで監視できる設備機器管理システム及び設備機器管理方法を提供することにある。
【課題を解決するための手段】
【０００６】
第１発明に係る設備機器管理システムは、設備機器を遠隔から管理する設備機器管理システムであって、第１管理装置と、第１通信回線と、第２管理装置と、第２通信回線とを備える。第１管理装置は、管理ソフトを有する。管理ソフトは、設備機器を管理するためのソフトウェアである。第１通信回線は、設備機器と第１管理装置とを接続する。第２管理装置は、部品機能情報群を有する。部品機能情報群は、部品機能情報の集まりである。部品機能情報は、管理ソフトに組み込まれる候補となる機能の情報であって、部品化された機能の情報である。第２通信回線は、第１管理装置と第２管理装置とを接続する。管理ソフトは、基本機能情報を含む。基本機能情報は、第１管理装置が必ず使用する機能の情報である。第１管理装置は、第１要求情報を第２通信回線経由で第２管理装置へ送信する。第１要求情報は、１以上の部品機能情報を要求する情報である。第２管理装置は、第１要求情報に基づいて、部品機能情報群から１以上の部品機能情報を選択して第２通信回線経由で第１管理装置へ送信する。
【０００７】
この設備機器管理システムでは、第１管理装置は、管理ソフトを有する。管理ソフトは、基本機能情報を含んでいる。第１管理装置は、第１要求情報を第２通信回線経由で第２管理装置へ送信する。第２管理装置は、第１要求情報を第２通信回線経由で第１管理装置から受信することができる。第２管理装置は、第１要求情報に基づいて、部品機能情報群から１以上の部品機能情報を選択して第２通信回線経由で第１管理装置へ送信する。これにより、１以上の部品機能情報が管理ソフトに組み込まれるようにすることができる。
【０００８】
このように、１以上の部品機能情報が管理ソフトに組み込まれるようにすることができるので、管理ソフトに組み込まれる機能が必要以上に多くなることを低減でき、部品機能情報の再利用を促進することができる。このため、管理ソフトのソフトサイズを低減できるとともに管理ソフトの開発工数を低減できるので、管理ソフトを記憶するための容量を低減でき、設備機器をリアルタイムで監視できる。
【０００９】
第２発明に係る設備機器管理システムは、第１発明の設備機器管理システムであって、第１管理装置は、１以上の部品機能情報を第２管理装置から第２通信回線経由で受信する。第１管理装置は、１以上の部品機能情報を管理ソフトに組み込む。
この設備機器管理システムでは、第１管理装置は、管理ソフトを有する。管理ソフトは、基本機能情報を含んでいる。第１管理装置は、第１要求情報を第２通信回線経由で第２管理装置へ送信する。第２管理装置は、第１要求情報を第２通信回線経由で第１管理装置から受信することができる。第２管理装置は、第１要求情報に基づいて、部品機能情報群から１以上の部品機能情報を選択して第２通信回線経由で第１管理装置へ送信する。第１管理装置は、１以上の部品機能情報を第２管理装置から第２通信回線経由で受信する。第１管理装置は、１以上の部品機能情報を管理ソフトに組み込む。
このように、１以上の部品機能情報が管理ソフトに組み込まれるので、管理ソフトに組み込まれる機能が必要以上に多くなることを低減でき、部品機能情報の再利用を促進することができる。このため、管理ソフトのソフトサイズを低減でき、管理ソフトの開発工数を低減できる。
【００１０】
第３発明に係る設備機器管理システムは、第１発明又は第２発明の設備機器管理システムであって、第２管理装置は、第１対応付け情報群と、第２対応付け情報群とをさらに有する。第１対応付け情報群は、第１対応付け情報の集まりである。第１対応付け情報は、種類情報と識別情報とが対応付けられた情報である。種類情報は、設備機器の種類を示す情報である。識別情報は、部品機能情報を識別する情報である。第２対応付け情報群は、第２対応付け情報の集まりである。第２対応付け情報は、識別情報と位置情報とが対応付けられた情報である。位置情報は、部品機能情報が管理ソフトに組み込まれる位置を示す情報である。第２管理装置は、第１要求情報に基づいて、第１対応付け情報群から１以上の第１対応付け情報を選択するとともに第２対応付け情報群から１以上の第２対応付け情報を選択する。第２管理装置は、少なくとも１以上の第２対応付け情報を第２通信回線経由で第１管理装置へさらに送信する。
【００１１】
この設備機器管理システムでは、第２管理装置は、第１対応付け情報群と、第２対応付け情報群とをさらに有する。第２管理装置は、第１要求情報に基づいて、第１対応付け情報群から１以上の第１対応付け情報を選択するとともに第２対応付け情報群から１以上の第２対応付け情報を選択する。第２管理装置は、少なくとも１以上の第２対応付け情報を第２通信回線経由で第１管理装置へさらに送信する。第１管理装置は、少なくとも１以上の第２対応付け情報を第２通信回線経由で第２管理装置から受信することができる。
このように、少なくとも１以上の第２対応付け情報を第２通信回線経由で第２管理装置から受信することができるので、第１管理装置が１以上の部品機能情報を容易に管理ソフトへ組み込むようにすることができる。
【００１２】
第４発明に係る設備機器管理システムは、第３発明の設備機器管理システムであって、第１要求情報は、第１管理装置に第１通信回線を介して接続された設備機器の種類情報を含む。
【００１３】
この設備機器管理システムでは、第１要求情報は、第１管理装置に第１通信回線を介して接続された設備機器の種類情報を含む。ここで、種類情報は、設備機器の種類を示す情報である。第１管理装置は、第１要求情報を第２通信回線経由で第２管理装置へ送信する。第２管理装置は、第１要求情報を第２通信回線経由で第１管理装置から受信することができる。第２管理装置は、第１対応付け情報群を有する。第１対応付け情報群は、第１対応付け情報の集まりである。第１対応付け情報は、種類情報と識別情報とが対応付けられた情報である。ここで、識別情報は、部品機能情報を識別する情報である。
【００１４】
このように、第１要求情報は、第１管理装置に第１通信回線を介して接続された設備機器の種類情報を含む。これにより、第２管理装置は、第１要求情報に基づいて、第１管理装置に第１通信回線を介して接続された設備機器の種類情報が含まれた第１対応付け情報を選択することができる。このため、第２管理装置は、第１要求情報に基づいて、第１対応付け情報群から１以上の第１対応付け情報を適切に選択することができる。
【００１５】
第５発明に係る設備機器管理システムは、第３発明又は第４発明の設備機器管理システムであって、部品機能情報群は、第１部品機能情報と、第２部品機能情報とを含む。第１部品機能情報は、設備機器の種類に関して共通に用いられる部品機能情報である。第２部品機能情報は、設備機器の種類に依存して用いられる部品機能情報である。
この設備機器管理システムでは、部品機能情報群は、第１部品機能情報と、第２部品機能情報とを含む。第２管理装置は、第１要求情報に基づいて、部品機能情報群から第１部品機能情報と１以上の第２部品機能情報とを選択して第２通信回線経由で第１管理装置へ送信することができる。これにより、第１部品機能情報と１以上の第２部品機能情報とが管理ソフトに組み込まれるようにすることができる。
このように、第１部品機能情報と１以上の第２部品機能情報とが管理ソフトに組み込まれるようにすることができるので、管理ソフトに組み込まれる機能が必要以上に多くなることを低減でき、部品機能情報の再利用を促進することができる。
【００１６】
第６発明に係る設備機器管理方法は、第１管理装置と第２通信回線とを介して、設備機器が遠隔から管理される設備機器管理方法であって、第１ステップと、第２ステップと、第３ステップとを備える。第１管理装置は、管理ソフトを有する。管理ソフトは、設備機器を管理するためのソフトウェアである。管理ソフトは、基本機能情報を含む。基本機能情報は、必ず使用する機能の情報である。第１管理装置は、第１通信回線で設備機器に接続されている。第１ステップでは、第１要求情報が第１管理装置から第２通信回線経由で送信される。第１要求情報は、部品機能情報を１以上要求する情報である。部品機能情報は、管理ソフトに組み込まれる候補となる機能の情報であって、部品化された機能の情報である。第２ステップでは、第１要求情報に基づいて、部品機能情報群から１以上の部品機能情報が選択される。部品機能情報群は、部品機能情報の集まりである。第３ステップでは、１以上の部品機能情報が第２通信回線経由で第１管理装置へ送信される。
【００１７】
この設備機器管理方法では、第１ステップにおいて、第１要求情報が第１管理装置から第２通信回線経由で送信される。第２ステップにおいて、第１要求情報が第２通信回線経由で第１管理装置から受信されるようにすることができる。第２ステップにおいて、第１要求情報に基づいて、部品機能情報群から１以上の部品機能情報が選択される。第３ステップにおいて、１以上の部品機能情報が第２通信回線経由で第１管理装置へ送信される。これにより、１以上の部品機能情報が管理ソフトに組み込まれるようにすることができる。
【００１８】
このように、１以上の部品機能情報が管理ソフトに組み込まれるようにすることができるので、管理ソフトに組み込まれる機能が必要以上に多くなることを低減でき、部品機能情報の再利用を促進することができる。このため、管理ソフトのソフトサイズを低減できるとともに管理ソフトの開発工数を低減できるので、ソフトウェアを記憶するための容量を低減でき、設備機器をリアルタイムで監視できる。
【発明の効果】
【００１９】
第１発明に係る設備機器管理システムでは、管理ソフトのソフトサイズを低減できるとともに管理ソフトの開発工数を低減できるので、ソフトウェアを記憶するための容量を低減でき、設備機器をリアルタイムで監視できる。
第２発明に係る設備機器管理システムでは、１以上の部品機能情報が管理ソフトに組み込まれるので、管理ソフトに組み込まれる機能が必要以上に多くなることを低減でき、部品機能情報の再利用を促進することができる。このため、管理ソフトのソフトサイズを低減でき、管理ソフトの開発工数を低減できる。
【００２０】
第３発明に係る設備機器管理システムでは、少なくとも１以上の第２対応付け情報を第２通信回線経由で第２管理装置から受信することができるので、第１管理装置が１以上の部品機能情報を容易に管理ソフトへ組み込むようにすることができる。
第４発明に係る設備機器管理システムでは、第１要求情報は、第１管理装置に第１通信回線を介して接続された設備機器の種類情報を含む。これにより、第２管理装置は、第１要求情報に基づいて、第１管理装置に第１通信回線を介して接続された設備機器の種類情報が含まれた第１対応付け情報を選択することができる。このため、第２管理装置は、第１要求情報に基づいて、第１対応付け情報群から１以上の第１対応付け情報を適切に選択することができる。
【００２１】
第５発明に係る設備機器管理システムでは、第１部品機能情報と１以上の第２部品機能情報とが管理ソフトに組み込まれるようにすることができるので、管理ソフトに組み込まれる機能が必要以上に多くなることを低減でき、部品機能情報の再利用を促進することができる。
第６発明に係る設備機器管理方法では、管理ソフトのソフトサイズを低減できるとともに管理ソフトの開発工数を低減できるので、ソフトウェアを記憶するための容量を低減でき、設備機器をリアルタイムで監視できる。
【発明を実施するための最良の形態】
【００２２】
本発明の実施形態に係る設備機器管理システムの構成図を図１に示す。
＜設備機器管理システムの概略構成＞
設備機器管理システム１は、主として、管理センター３０，ローカルコントローラ５０，第１通信回線１０，第２通信回線２０及び空調システム群６０（６０ａ，６０ｂ，・・・）を備える。
【００２３】
管理センター３０とローカルコントローラ５０とは第２通信回線２０で接続されている。第２通信回線２０は広域ネットワーク回線である。ローカルコントローラ５０と空調システム群６０（６０ａ，６０ｂ，・・・）とは第１通信回線１０で接続されている。第１通信回線１０はローカルネットワーク回線である。
＜設備機器管理システムの概略動作＞
ローカルコントローラ５０は、第１通信回線１０を介して空調システム群６０（６０ａ，６０ｂ，・・・）から情報を受信する。ローカルコントローラ５０は、その情報を必要に応じて第２通信回線２０経由で管理センター３０へ送信する。
【００２４】
管理センター３０は、その情報を受信し必要に応じて記憶する。また、管理センター３０は、必要な情報を第２通信回線２０経由でローカルコントローラ５０へ送信する。ローカルコントローラ５０は、その情報を受信する。ローカルコントローラ５０は、受信した情報に基づいて、空調システム群６０（６０ａ，６０ｂ，・・・）を管理する。
このようにして、設備機器管理システム１は、空調システム群６０（６０ａ，６０ｂ，・・・）を遠隔から管理する。
【００２５】
＜空調システム群の詳細構成＞
空調システム群６０（６０ａ，６０ｂ，・・・）は、空調システム６０ａ，６０ｂ，６０ｃ，・・・を有する。各空調システム６０ａ，・・・は、１以上の室外機６１ａ，・・・と１以上の室内機６２ａ，・・・とを有する。
室外機６１ａ，・・・と室内機６２ａ，・・・とは第１通信回線１０で接続されている。また、室外機６１ａ，・・・は第１通信回線１０を介してローカルコントローラ５０に接続されている。
【００２６】
＜空調システム群の詳細動作＞
各室内機６２ａ，・・・は、種類情報を第１通信回線１０経由でローカルコントローラ５０へ送信する。ここで、種類情報は、室内機６２ａ，・・・の種類を示す情報である（図５の種類情報欄４２１参照）。
あるいは、各室外機６１ａ，・・・は、種類情報を第１通信回線１０経由でローカルコントローラ５０へ送信する。ここで、種類情報は、室外機６１ａ，・・・の種類を示す情報である。
【００２７】
＜ローカルコントローラの詳細構成＞
ローカルコントローラ５０は、図３に示すように、主として、送受信部５１，制御部５３，送受信部５２，組み込み部５４，生成部５６および記憶部５５を備える。
送受信部５１は、第２通信回線２０に接続されており、制御部５３にも接続されている。送受信部５２は、第１通信回線１０に接続されており、制御部５３にも接続されている。組み込み部５４及び記憶部５５は、制御部５３に接続されている。
【００２８】
記憶部５５には、管理ソフト５３が記憶されている。管理ソフト５３は、空調システム群６０（６０ａ，６０ｂ，・・・）を管理するためのソフトウェアである。管理ソフト５３は、初期状態において、基本機能情報（図７の基本機能７１ｚ参照）を有している。ここで、基本機能情報は、ローカルコントローラ５０が必ず使用する機能の情報であり、例えば、第２通信回線２０を介して管理センター３０と情報を送受信する機能や、第１通信回線１０を介して空調システム群６０（６０ａ，６０ｂ，・・・）と情報を送受信する機能などである。
【００２９】
＜ローカルコントローラの詳細動作＞
送受信部５２は、種類情報を第１通信回線１０経由で室外機６１ａ，・・・又は室内機６２ａ，・・・から受信する。生成部５６は、種類情報を制御部５３経由で送受信部５２から受け取る。生成部５６は、種類情報に基づいて、第１要求情報を作成する。ここで、第１要求情報は、１以上の部品機能情報を要求する情報であり、部品機能情報を要求する旨の情報と、空調システム群６０（６０ａ，６０ｂ，・・・）の種類情報とを含む。部品機能情報は、管理ソフト７１に組み込まれる候補となる機能の情報であって、部品化された機能の情報である。記憶部５５は、第１要求情報を制御部５３経由で生成部５６から受け取る。記憶部５５は、第１要求情報７２を記憶する。
【００３０】
制御部５３は、所定のタイミングで記憶部５５を参照し、第１要求情報７２を受け取り送受信部５１へ渡す。送受信部５１は、第１要求情報７２を第２通信回線２０経由で管理センター３０へ送信する。
送受信部５１は、後述の部品機能情報と第２対応付け情報とを、第２通信回線２０経由で管理センター３０から受信する。組み込み部５４は、部品機能情報と第２対応付け情報とを、制御部５３経由で送受信部５１から受け取る。組み込み部５４は、管理ソフト７１を制御部５３経由で記憶部５５から受け取る。組み込み部５４は、第２対応付け情報に基づいて、部品機能情報を管理ソフト７１に組み込む（図７，図８参照）。そして、組み込み部５４は、制御部５３経由で記憶部５５へアクセスして、部品機能情報が組み込まれた管理ソフト７１を記憶部５５に上書き記憶させる。
【００３１】
＜管理センターの詳細構成＞
管理センター３０は、図２に示すように、主として、送受信部３１，制御部３２，選択部３３，第１記憶部３４，第２記憶部３５及び第３記憶部３６を備える。
送受信部３１は、第２通信回線２０に接続されており、制御部３２にも接続されている。選択部３３，第１記憶部３４，第２記憶部３５および第３記憶部３６は、制御部３２に接続されている。
【００３２】
第１記憶部３４には、部品機能情報群が記憶されている。ここで、部品機能情報群は、部品機能情報の集まりである（図４参照）。
第２記憶部３５には、第１対応付け情報群が記憶されている。ここで、第１対応付け情報群は、第１対応付け情報の集まりである。第１対応付け情報は、種類情報と識別情報とが対応付けられた情報である（図５参照）。識別情報は、部品機能情報を識別する情報である。
【００３３】
第３記憶部３６には、第２対応付け情報群が記憶されている。ここで、第２対応付け情報群は、第２対応付け情報の集まりである。第２対応付け情報は、識別情報と位置情報とが対応付けられた情報である（図６参照）。位置情報は、部品機能情報が管理ソフト７１に組み込まれる位置を示す情報である。
＜管理センターの詳細動作＞
送受信部３１は、第１要求情報７２を第２通信回線２０経由でローカルコントローラ５０から受信する。選択部３３は、第１要求情報７２を制御部３２経由で送受信部３１から受け取る。選択部３３は、制御部３２経由で第２記憶部３５を参照する。選択部３３は、第１要求情報７２に基づいて、第１対応付け情報群４２から１以上の第１対応付け情報を選択する。
【００３４】
そして、選択部３３は、制御部３２経由で第１記憶部３４を参照する。選択部３３は、選択した第１対応付け情報に基づいて、部品機能情報群４１から１以上の部品機能情報を選択する。
また、選択部３３は、制御部３２経由で第３記憶部３６を参照する。選択部３３は、選択した第１対応付け情報に基づいて、第２対応付け情報群４３から１以上の第２対応付け情報を選択する。
送受信部３１は、選択部３３が選択した部品機能情報と第２対応付け情報とを、制御部３２経由で選択部３３から受け取る。送受信部３１は、部品機能情報と第２対応付け情報とを、第２通信回線２０経由でローカルコントローラ５０へ送信する。
【００３５】
＜部品機能情報群の詳細構成＞
部品機能情報群４１は、部品機能情報の集まりである。部品機能情報は、管理ソフト７１に組み込まれる候補となる機能の情報であって、部品化された機能の情報である。部品機能情報群４１は、図４に示すように、主として、共通機能情報４１ａと追加機能情報（４１ｂ，４１ｃ，４１ｄ，・・・，４１ｎ，・・・）とを備える。追加機能情報（４１ｂ，４１ｃ，４１ｄ，・・・，４１ｎ，・・・）は、機能Ｂ情報４１ｂ，機能Ｃ情報４１ｃ，機能Ｄ情報４１ｄ，・・・，機能Ｎ情報４１ｎ，・・・を有する。
【００３６】
共通機能情報４１ａは、室外機６１ａ，・・・又は室内機６２ａ，・・・の種類に関して共通に用いられる部品機能情報であり、例えば、発停の機能の情報である。追加機能情報（４１ｂ，４１ｃ，４１ｄ，・・・，４１ｎ，・・・）は、室外機６１ａ，・・・又は室内機６２ａ，・・・の種類に依存して用いられる部品機能情報であり、例えば、換気機能の情報やデマンド制御機能の情報などである。
【００３７】
＜第１対応付け情報群の詳細構成＞
第１対応付け情報群４２は、第１対応付け情報の集まりである。第１対応付け情報は、種類情報と識別情報とが対応付けられた情報である。第１対応付け情報群４２は、図５に示すように、主として、種類情報欄４２１、機能名称欄４２２及び変換パターン欄４２３を備える。種類情報に対応するのが種類情報欄４２１であり、識別情報に対応するのが機能名称欄４２２及び変換パターン欄４２３である。
【００３８】
種類情報欄４２１には、種類情報が記録されている。種類情報は、室外機６１ａ，・・・又は室内機６２ａ，・・・の種類を示す情報である。機能名称欄４２２には、部品機能情報の名称が記録されている。変換パターン欄４２３には、変換パターンを識別する情報が記録されている。
第１対応付け情報群４２を参照することにより、室外機６１ａ，・・・又は室内機６２ａ，・・・の種類に対応する部品機能情報が分かる。具体的には、種類情報欄４２１と機能名称欄４２２と変換パターン欄４２３とを参照することにより、室外機６１ａ，・・・又は室内機６２ａ，・・・の種類Ｓ１，・・・に必要な部品機能情報の名称とその変換パターンとが分かる。
【００３９】
例えば、「種類Ｓ１」に必要な部品機能情報は「共通機能４１ａ」、「機能Ｂ４１ｂ」及び「機能Ｄ４１ｄ」であり、その変換パターンが「パターンＰ１」であることが分かる。「種類Ｓ２」に必要な部品機能情報は「共通機能４１ａ」及び「機能Ｃ４１ｃ」であり、その変換パターンが「パターンＰ２」であることが分かる。
すなわち、種類情報欄４２１と機能名称欄４２２と変換パターン欄４２３とを参照することにより、第１要求情報に含まれる種類情報に対応した第１対応付け情報を選択することができるようになっている。
【００４０】
＜第２対応付け情報群の詳細構成＞
第２対応付け情報群４３は、第２対応付け情報の集まりである。第２対応付け情報は、識別情報と位置情報とが対応付けられた情報である。第２対応付け情報群４３は、図６に示すように、主として、機能名称欄４３１，変換パターン欄４３２及び位置情報欄４３３を備える。識別情報に対応するのが機能名称欄４３１及び変換パターン欄４３２であり、位置情報に対応するのが位置情報欄４３３である。
【００４１】
機能名称欄４３１には、部品機能情報の名称が記録されている。変換パターン欄４３２には、変換パターンを識別する情報が記録されている。位置情報欄４３３には、位置情報が記録されている。位置情報は、部品機能情報が管理ソフト７１に組み込まれる位置を示す情報である。
第２対応付け情報群４３を参照することにより、室外機６１ａ，・・・又は室内機６２ａ，・・・の部品機能情報が管理ソフト７１のどこに組み込まれるかが分かる。具体的には、機能名称欄４３１と変換パターン欄４３２と位置情報欄４３３とを参照することにより、室外機６１ａ，・・・又は室内機６２ａ，・・・の部品機能情報の名称とその変換パターンとに対する組み込まれる位置Ｌ１，・・・が分かる。
【００４２】
例えば、変換パターンが「パターンＰ１」である部品機能情報「共通機能４１ａ」は管理ソフト７１の位置Ｌ１に組み込まれることが分かり、変換パターンが「パターンＰ１」である部品機能情報「機能Ｂ４１ｂ」は管理ソフト７１の位置Ｌ２に組み込まれることが分かり、変換パターンが「パターンＰ１」である部品機能情報「機能Ｄ４１ｄ」は管理ソフト７１の位置Ｌ３に組み込まれることが分かる。また、例えば、変換パターンが「パターンＰ２」である部品機能情報「共通機能４１ａ」は管理ソフト７１の位置Ｌ７に組み込まれることが分かり、変換パターンが「パターンＰ２」である部品機能情報「機能Ｃ４１ｃ」は管理ソフト７１の位置Ｌ８に組み込まれることが分かる。
【００４３】
すなわち、機能名称欄４３１と変換パターン欄４３２と位置情報欄４３３とを参照することにより、選択された第１対応付け情報に対応した第２対応付け情報を選択することができるようになっている。
＜設備機器管理システムが空調システム群を遠隔から管理する処理の流れ＞
設備機器管理システムが空調システム群を遠隔から管理する処理の流れを、図９に示すフローチャートを用いて説明する。
【００４４】
ステップＳ１では、第１要求情報が生成される。すなわち、空調システム群６０（６０ａ，６０ｂ，・・・）の各室内機６２ａ，・・・は、種類情報を第１通信回線１０経由でローカルコントローラ５０へ送信する。ここで、種類情報は、室内機６２ａ，・・・の種類を示す情報である（図５の種類情報欄４２１参照）。
あるいは、空調システム群６０（６０ａ，６０ｂ，・・・）の各室外機６１ａ，・・・は、種類情報を第１通信回線１０経由でローカルコントローラ５０へ送信する。ここで、種類情報は、室外機６１ａ，・・・の種類を示す情報である。
【００４５】
ローカルコントローラ５０の送受信部５２は、種類情報を第１通信回線１０経由で室外機６１ａ，・・・又は室内機６２ａ，・・・から受信する。生成部５６は、種類情報を制御部５３経由で送受信部５２から受け取る。生成部５６は、種類情報に基づいて、第１要求情報を作成する。ここで、第１要求情報は、１以上の部品機能情報を要求する情報であり、部品機能情報を要求する旨の情報と、空調システム群６０（６０ａ，６０ｂ，・・・）の種類情報とを含む。部品機能情報は、管理ソフト７１に組み込まれる候補となる機能の情報であって、部品化された機能の情報である。記憶部５５は、第１要求情報を制御部５３経由で生成部５６から受け取る。記憶部５５は、第１要求情報７２を記憶する。
【００４６】
ステップＳ２では、第１要求情報が管理センターへ送信される。すなわち、ローカルコントローラ５０の制御部５３は、所定のタイミングで記憶部５５を参照し、第１要求情報７２を受け取り送受信部５１へ渡す。送受信部５１は、第１要求情報７２を第２通信回線２０経由で管理センター３０へ送信する。
ステップＳ３では、第１対応付け情報群から第１対応付け情報が選択される。すなわち、管理センター３０の送受信部３１は、第１要求情報７２を第２通信回線２０経由でローカルコントローラ５０から受信する。選択部３３は、第１要求情報７２を制御部３２経由で送受信部３１から受け取る。選択部３３は、制御部３２経由で第２記憶部３５を参照する。選択部３３は、第１要求情報７２に基づいて、第１対応付け情報群４２から１以上の第１対応付け情報を選択する。すなわち、種類情報欄４２１と機能名称欄４２２と変換パターン欄４２３とを参照することにより、第１要求情報７２に含まれる種類情報に対応した第１対応付け情報が選択される（図５参照）。
【００４７】
ステップＳ４では、部品機能情報群から部品機能情報が選択され、第２対応付け情報群から第２対応付け情報が選択される。すなわち、管理センター３０の選択部３３は、制御部３２経由で第１記憶部３４を参照する。選択部３３は、選択した第１対応付け情報に基づいて、部品機能情報群４１から１以上の部品機能情報を選択する。すなわち、選択した第１対応付け情報の機能名称欄４２２の情報に対応した機能が選択される（図４参照）。
【００４８】
また、選択部３３は、制御部３２経由で第３記憶部３６を参照する。選択部３３は、選択した第１対応付け情報に基づいて、第２対応付け情報群４３から１以上の第２対応付け情報を選択する。すなわち、機能名称欄４３１と変換パターン欄４３２と位置情報欄４３３とを参照することにより、選択された第１対応付け情報に対応した第２対応付け情報が選択される（図６参照）。
【００４９】
ステップＳ５では、選択された部品機能情報と第２対応付け情報とがコントローラへ送信される。すなわち、管理センター３０の送受信部３１は、選択部３３が選択した部品機能情報と第２対応付け情報とを、制御部３２経由で選択部３３から受け取る。送受信部３１は、部品機能情報と第２対応付け情報とを、第２通信回線２０経由でローカルコントローラ５０へ送信する。
【００５０】
ステップＳ６では、部品機能情報が管理ソフトへ組み込まれる。すなわち、ローカルコントローラ５０の送受信部５１は、部品機能情報と第２対応付け情報とを、第２通信回線２０経由で管理センター３０から受信する。組み込み部５４は、部品機能情報と第２対応付け情報とを、制御部５３経由で送受信部５１から受け取る。組み込み部５４は、管理ソフト７１を制御部５３経由で記憶部５５から受け取る。組み込み部５４は、第２対応付け情報に基づいて、部品機能情報を管理ソフト７１に組み込む（図７，図８参照）。そして、組み込み部５４は、制御部５３経由で記憶部５５へアクセスして、部品機能情報が組み込まれた管理ソフト７１を記憶部５５に上書き記憶させる。これにより、部品機能情報が組み込まれた管理ソフト７１を用いて、空調システム群６０（６０ａ，６０ｂ，・・・）が遠隔から管理されるようになる。
【００５１】
＜設備機器管理システムに関する特徴＞
（１）
ここでは、ローカルコントローラ５０は、記憶部５５に管理ソフト７１を有する。管理ソフト７１は、基本機能情報を含んでいる（図７，図８参照）。ローカルコントローラ５０は、第１要求情報７２を第２通信回線２０経由で管理センター３０へ送信する。管理センター３０は、第１要求情報７２を第２通信回線２０経由でローカルコントローラ５０から受信する。管理センター３０は、第１要求情報７２に基づいて、部品機能情報群４１から１以上の部品機能情報を選択して第２通信回線２０経由でローカルコントローラ５０へ送信する。ローカルコントローラ５０は、１以上の部品機能情報を管理センター３０から第２通信回線２０経由で受信する。ローカルコントローラ５０は、１以上の部品機能情報を管理ソフト７１に組み込む。
【００５２】
このように、１以上の部品機能情報が管理ソフト７１に組み込まれるので、管理ソフト７１に組み込まれる機能が必要以上に多くなることが低減され、部品機能情報の再利用が促進される。このため、管理ソフト７１のソフトサイズが低減されるとともに管理ソフトの開発工数は低減されるので、管理ソフト７１を記憶するための容量は低減され、空調システム群６０（６０ａ，６０ｂ，・・・）はリアルタイムで監視される。
【００５３】
（２）
ここでは、管理センター３０は、第２記憶部３５に第１対応付け情報群４２を有し、第３記憶部３６に第２対応付け情報群４３を有する。管理センター３０は、第１要求情報７２に基づいて、第１対応付け情報群４２から１以上の第１対応付け情報を選択するとともに第２対応付け情報群４３から１以上の第２対応付け情報を選択する。管理センター３０は、１以上の第２対応付け情報を第２通信回線２０経由でローカルコントローラ５０へさらに送信する。ローカルコントローラ５０は、１以上の第２対応付け情報を第２通信回線２０経由で管理センター３０から受信する。
【００５４】
このように、１以上の第２対応付け情報が第２通信回線２０経由で管理センター３０から受信されるので、ローカルコントローラ５０が１以上の部品機能情報を容易に管理ソフト７１へ組み込むようになる。
（３）
ここでは、第１要求情報７２は、ローカルコントローラ５０に第１通信回線１０を介して接続された空調システム群６０（６０ａ，６０ｂ，・・・）の種類情報を含む。ここで、種類情報は、空調システム群６０（６０ａ，６０ｂ，・・・）の種類を示す情報である（図５に示す種類情報欄４２１参照）。ローカルコントローラ５０は、第１要求情報７２を第２通信回線２０経由で管理センター３０へ送信する。管理センター３０は、第１要求情報７２を第２通信回線２０経由でローカルコントローラ５０から受信する。管理センター３０は、第２記憶部３５に第１対応付け情報群４２を有する。第１対応付け情報群４２は、第１対応付け情報の集まりである。第１対応付け情報は、種類情報と識別情報とが対応付けられた情報である（図５参照）。識別情報は、部品機能情報を識別する情報である。
【００５５】
このように、第１要求情報７２は、ローカルコントローラ５０に第１通信回線１０を介して接続された空調システム群６０（６０ａ，６０ｂ，・・・）の種類情報を含む。これにより、管理センター３０は、第１要求情報７２に基づいて、ローカルコントローラ５０に第１通信回線１０を介して接続された空調システム群６０（６０ａ，６０ｂ，・・・）の種類情報が含まれた第１対応付け情報を選択することができるようになっている。このため、管理センター３０は、第１要求情報７２に基づいて、第１対応付け情報群４２から１以上の第１対応付け情報は適切に選択される。
【００５６】
（４）
ここでは、部品機能情報群４１は、共通機能情報４１ａと、追加機能情報（４１ｂ，４１ｃ，４１ｄ，・・・，４１ｎ，・・・）とを含む。管理センター３０は、第１要求情報７２に基づいて、部品機能情報群４１から共通機能情報４１ａと１以上の追加機能情報（４１ｂ，・・・）とを選択して第２通信回線２０経由でローカルコントローラ５０へ送信する。これにより、共通機能情報４１ａと１以上の追加機能情報（４１ｂ，・・・）とが管理ソフト７１に組み込まれるようになる。
【００５７】
このように、共通機能情報４１ａと１以上の追加機能情報（４１ｂ，・・・）とが管理ソフト７１に組み込まれるようになるので、管理ソフト７１に組み込まれる機能が必要以上に多くなることは低減され、部品機能情報の再利用は促進される。
例えば、室内機６２ａ，・・・の追加機能が機能Ｂ及び機能Ｄから機能Ｃに変更された場合に、管理ソフトは図７に示す管理ソフト７１から図８に示す管理ソフト７１ｉに変更される。すなわち、管理ソフト７１ｉでは、機能Ｂ及び機能Ｄに相当する部分のコード７１ｂ，７１ｄが省略されており、機能Ｃに相当する部分のコード７１ｃｉが追加されている。これにより、管理ソフト７１ｉに組み込まれる機能が必要以上に多くなることは低減されている。また、管理ソフト７１における共通機能に相当する部分のコード７１ａは、管理ソフト７１ｉにおける共通機能に相当する部分のコード７１ａｉと（位置情報の部分を除き）同様のものとなっている。これにより、部品機能情報の再利用は促進されている。
【産業上の利用可能性】
【００５８】
本発明に係る設備機器管理システム及び設備機器管理方法は、ソフトウェアを記憶するための容量を低減でき、設備機器をリアルタイムで監視できるという効果を有し、設備機器管理システム及び設備機器管理方法等として有用である。
【図面の簡単な説明】
【００５９】
【図１】本発明の実施形態に係る設備機器管理システムの構成図。
【図２】本発明の実施形態における管理センターの構成図。
【図３】本発明の実施形態におけるローカルコントローラの構成図。
【図４】部品機能情報群を示す図。
【図５】第１対応付け情報群を示す図。
【図６】第２対応付け情報群を示す図。
【図７】管理ソフトの構成を示す図。
【図８】管理ソフトの構成を示す図。
【図９】設備機器管理システムが空調システム群を遠隔から管理する処理の流れを示すフローチャート。
【符号の説明】
【００６０】
１  設備機器管理システム
１０  第１通信回線
２０  第２通信回線
３０  管理センター
５０  ローカルコントローラ
６１ａ等  室外機
６２ａ等  室内機
【図１】
2007071406.tif 000003
【図２】
2007071406.tif 000004
【図３】
2007071406.tif 000005
【図４】
2007071406.tif 000006
【図５】
2007071406.tif 000007
【図６】
2007071406.tif 000008
【図７】
2007071406.tif 000009
【図８】
2007071406.tif 000010
【図９】
2007071406.tif 000011